(57)【要約】【課題】光を透過かつ屈折・反射するプリズムパネルを採光装置としてフラット屋根の上に、敷地・プラン条件に対応して有効に活用し、日陰となる庭や室内を明るくする屋根上採光装置を提供すること。【解決手段】建物１０ａの屋根１２の上に、角度・設置方向を調節することが可能な固定金具５を介して、一方の面が面内の一方向に山部２２２と谷部２２３が交互に連続する凹凸面２２１で形成され、他方の面が略平坦な面２２０で形成された平板状のプリズムシート２２で構成された光を透過し屈折が可能な特性を有するプリズムパネル２からなる屋根上採光装置１が設置されている。【選択図】図１
2005026004.tif 000002
【特許請求の範囲】
【請求項１】
建物の屋根の上に、角度・設置方向を調節することが可能な固定金具を介して、一方の面が面内の一方向に山部と谷部が交互に連続する凹凸面で形成され、他方の面が略平坦な面で形成された平板状のプリズムシートで構成された光を透過し屈折が可能な特性を有するプリズムパネルが設置されたことを特徴とする屋根上採光装置。
【請求項２】
前記固定金具は、プリズムパネルを屋根に固定し、その固定角度を水平角度及び垂直角度の２方向で調節することが可能な固定金具であることを特徴とする請求項１記載の屋根上採光装置。
【請求項３】
建物の内部或いは建物の凹部に中庭を有するフラットな屋根上に設置されたことを特徴とする請求項１又は２記載の屋根上採光装置。
【発明の詳細な説明】
【０００１】
【発明の属する技術分野】
本発明は建物の中庭等に太陽光を取り入れて明るくするために設けられた屋根上採光装置に関する。
【０００２】
【従来の技術】
従来の採光装置としては、例えば、光を透過・散乱させる透明あるいは半透明の板材と、プリズムシート（リニアー型フレネンルレンズ）からなる採光レンズ系複層面材が知られている。（例えば、特許文献１参照）。
上記リニアー型フレネルレンズは、フレネル面を入射側に向けて採光し、フレネル面のフレネル溝を水平方向に配向し、この採光装置をベランダ用目隠し材として使用して採光したり、建物の採光用開口部に組み込み、部屋の奥まで採光できるようにした。
【０００３】
或いは、高速道路や高速鉄道等の高架建造物の、該道路や鉄道の両脇に沿って設置し、これらの高架建造物によって日陰区域となるところに太陽光を当てるための透視性光線屈折型採光板が知られている。（例えば、特許文献２参照）。
上記透視性光線屈折型採光板は、透明な材質からなる板材の表面に、光屈折部と透視部とが上下方向に交互に設けられ、光屈折部は、曲面レンズの一部からなるレンズ素子を用いて形成され、透視部は、板材の平坦な表面そのものから形成されているものである。そのため光屈折部では太陽光線の屈折による日陰区域の照明度向上を図り、透視部では、主として外部の景色等を眺めることができるようにしたものである。
【０００４】
【特許文献１】
特開平０９−５４２７４号公報
【特許文献２】
特開平０６−５１１０６号公報
【０００５】
【発明が解決しようとする課題】
しかしながら、特許文献１においては、この採光装置をベランダ用目隠し材として使用して採光したり、建物の採光用開口部に組み込み、部屋の奥まで採光できるようにしたものであるが、立地環境や季節によって変わる住宅の日陰に対しては効果的ではなかった。
また、特許文献２においては、高速道路や高速鉄道等の側壁にプリズムを使用して、これらの日陰区域に太陽光を当てるものであって、住宅の日陰に対して、簡易にかつ有効に太陽の光を取り入れて明るくする提案は今までなされていなかった。
【０００６】
そこで、本発明の目的は、光を透過かつ屈折・反射するプリズムパネルを採光装置としてフラット屋根の上に、敷地・プラン条件に対応して有効に活用し、日陰となる庭や室内を明るくする屋根上採光装置を提供することを目的とする。
【０００７】
【課題を解決するための手段】
請求項１記載の発明は、建物の屋根の上に、角度・設置方向を調節することが可能な固定金具を介して、一方の面が面内の一方向に山部と谷部が交互に連続する凹凸面で形成され、他方の面が略平坦な面で形成された平板状のプリズムシートで構成された光を透過し屈折が可能な特性を有するプリズムパネルが設置されたことを特徴とする。
【０００８】
請求項２記載の発明は、請求項１記載の屋根上採光装置において、前記固定金具は、プリズムパネルを屋根に固定し、その固定角度を水平角度及び垂直角度の２方向で調節することが可能な固定金具であることを特徴とする。
【０００９】
請求項３記載の発明は、請求項１または２記載の屋根上採光装置が建物の内部或いは建物の凹部に中庭を有するフラットな屋根上に設置されたことを特徴とする。
【００１０】
（作用）
このように構成された請求項１記載の屋根上採光装置によると、建物の屋根の上に、角度・設置方向を調節することが可能な固定金具を介して、一方の面が面内の一方向に山部と谷部が交互に連続する凹凸面で形成され、他方の面が略平坦な面で形成された平板状のプリズムシートで構成された光を透過し屈折が可能な特性を有するプリズムパネルが設置されているので、通常は建物の日陰となる建物の中庭や室内にプリズムパネルにより透過屈折した太陽光を当てることができる。
【００１１】
請求項２記載の屋根上採光装置によると、さらに、前記固定金具は、プリズムパネルを屋根に固定し、その固定角度を水平角度及び垂直角度の２方向で調節することが可能な固定金具であるので、敷地の向きや、プラン、周囲の建物の状況により、太陽光に対してプリズムパネルで取り入れる効果的な水平角度及び垂直角度に設定した上で設置することができる。
【００１２】
請求項３記載の建物によると、前記屋根上採光装置が建物の内部或いは建物の凹部に中庭を有するフラットな屋根上に設置されているので、屋根上採光装置の水平角度及び垂直角度の調整設置が容易であり、建物の内部或いは建物の凹部の中庭に効果的に採光できる。
【００１３】
【発明の実施の形態】
以下、本発明の実施の形態について図面を参照しながら詳細に説明する。
（実施の形態１）
図１〜図３は本発明の一実施の形態であって、図１（ａ）は建物の中側に庭を有するフラット屋根の上に取り付けられた屋根上採光装置の斜視図、（ｂ）は図１（ａ）のＡ−Ａ線（妻方向）における断面図、（ｃ）は図１（ａ）のＢ−Ｂ線（桁方向）における断面図である。図２（ａ）は屋根上採光装置の斜視図であり、（ｂ）は屋根上採光装置の断面図である。図３（ａ）は屋根上採光装置を屋根に固定する桁側角度調節用固定金具の斜視図、（ｂ）は妻側角度調節用固定金具の斜視図である。
【００１４】
（屋根上採光装置）
本実施の形態１の屋根上採光装置１は、図２（ｂ）に示すように、プリズムパネル２は上面が矩形状のガラス板２１と下面が矩形状のプリズムシート２２との２層構成からなり、このプリズムパネル２の各縁辺に設けるアルミ製の縦枠３，３と横枠４，４とから構成されている。
【００１５】
プリズムシート２２は、透明もしくは半透明のポリカーボネートあるいはアクリル樹脂で形成された平板状のものであって、一方の面が面内の一方向に山部２２２と谷部２２３が交互に連続する凹凸面２２１で形成され、他方の面が平坦面２２０で形成されている。
採光装置１は、上記プリズムシート２２の平坦面２２０を太陽光に向け、一方の面（平坦面２２０）から入射した光を屈折透過させ他方の面（凹凸面２２１）から入射方向と異なる方向に向きを変えて出光可能になすものである。
【００１６】
（建物）
本実施の形態１の建物は、図１に示すように、建物の中側に中庭１１を有し、上記屋根上採光装置１は折板屋根１２の上に妻側に平行に中庭１１に太陽光が入るように設置されている。図１（ｂ）に示すように、上記屋根上採光装置１は折板屋根１２の上に固定金具５により固定されている。固定金具５は図３に示すように、図３（ａ）の桁側角度調節用固定金具５ａ、図３（ｂ）の妻側角度調節用固定金具５ｂの２種類が用意されていて、敷地の向きや、プラン、周囲の建物状況により、屋根上採光装置１の効果的な太陽光を受光する水平角度及び垂直角度を調節することができる。そして、図１（ｃ）に示すように、固定金具５は桁側角度調節用固定金具５ａ、５ａ及び図示しない妻側角度調節用固定金具５ｂ、５ｂにより太陽光に対して最適の受光角度に据付けることができる。
【００１７】
（本実施の形態１の作用）
このように構成された本実施の形態１の屋根上採光装置１によると、建物１０ａの折板屋根１２の上に、角度・設置方向を調節することが可能な固定金具５を介して、一方の面が面内の一方向に山部２２２と谷部２２３が交互に連続する凹凸面２２１で形成され、他方の面が略平坦な面２２０で形成された平板状のプリズムシート２２で構成された光を透過し屈折が可能な特性を有するプリズムパネル２が設置されているので、通常は建物１０ａの日陰となる建物１０ａの中庭１１や図示しない室内にプリズムパネル２により透過屈折した太陽光を当てることができる。
【００１８】
さらに、前記固定金具は、プリズムパネル２を屋根１２に固定し、その固定角度を水平角度及び垂直角度の２方向で調節することが可能な桁側角度調節用固定金具５ａ，妻側角度調節用固定金具５ｂを有しているので、敷地の向きや、プラン、周囲の建物の状況により、太陽光に対してプリズムパネル２で取り入れる効果的な水平角度及び垂直角度に設定した上で設置することができる。
【００１９】
屋根上採光装置１が建物１０ａの内部に中庭１１を有するフラットな屋根１２上に設置されているので、屋根上採光装置１の水平角度及び垂直角度の調整設置が容易であり、建物１０ａの内部の中庭１１に効果的に採光できる。
【００２０】
（実施の形態２）
図４は、本発明の実施の形態２であって、建物の凹部に庭を有するフラット屋根の上に取り付けられた屋根上採光装置の斜視図である。
以下の実施の形態において、前記実施の形態１と本質的に同じものには同符号を付けて説明を省略し、異なるものだけ別符号を付けて説明する。
【００２１】
本実施の形態２において、屋根上採光装置１は前記実施の形態のものと同じであるが、これを建物１０ｂに設ける場合、建物１０ｂの桁方向に平行に設置されている。これは建物１０ｂの向き、プラン、周囲の建物の状況により太陽光に対して最適に受光し、中庭１３に太陽光が到達できるように設置されるものである。
【００２２】
（本実施の形態２の作用）
上記屋根上採光装置１を設けた本実施の形態２の建物１０ｂによると、前記屋根上採光装置１が建物１０ｂの向き、プラン、周囲の建物の状況により太陽光に対して図示しない固定金具により最適に受光し、中庭１３に太陽光が到達できるように設置されている。
【００２３】
以上、本発明の実施の形態を図面に基づいて説明したが、本発明は、この実施の形態に限られるものではなく、本発明の要旨を変更しない範囲の設計変更があっても本発明に含まれる。例えば、傾斜屋根の上に本発明の屋根上採光装置を設置する為架台を設けて設置することも可能である。
【００２４】
【発明の効果】
このように構成された請求項１記載の屋根上採光装置によると、建物の屋根の上に、角度・設置方向を調節することが可能な固定金具を介して、一方の面が面内の一方向に山部と谷部が交互に連続する凹凸面で形成され、他方の面が略平坦な面で形成された平板状のプリズムシートで構成された光を透過し屈折が可能な特性を有するプリズムパネルが設置されているので、通常は建物の日陰となる建物の中庭や室内にプリズムパネルにより透過屈折した太陽光を当てることができる。
【００２５】
請求項２記載の屋根上採光装置によると、さらに、前記固定金具は、プリズムパネルを屋根に固定し、その固定角度を水平角度及び垂直角度の２方向で調節することが可能な固定金具であるので、敷地の向きや、プラン、周囲の建物の状況により、太陽光に対してプリズムパネルで取り入れる効果的な水平角度及び垂直角度に設定した上で設置することができる。
【００２６】
請求項３記載の建物によると、前記屋根上採光装置が建物の内部或いは建物の凹部に中庭を有するフラットな屋根上に設置されているので、屋根上採光装置の水平角度及び垂直角度の調整設置が容易であり、建物の内部或いは建物の凹部の中庭に効果的に採光できる。
【図面の簡単な説明】
【図１】本発明の実施の形態１であって、（ａ）は建物の中側に庭を有するフラット屋根の上に取り付けられた屋根上採光装置の斜視図、（ｂ）は図１（ａ）のＡ−Ａ線（妻方向）における断面図、（ｃ）は図１（ａ）のＢ−Ｂ線（桁方向）における断面図である。
【図２】（ａ）は屋根上採光装置の斜視図であり、（ｂ）は屋根上採光装置の断面図である。
【図３】（ａ）は屋根上採光装置を屋根に固定する桁側角度調節用固定金具の斜視図、（ｂ）は妻側角度調節用固定金具の斜視図である。
【図４】本発明の実施の形態２であって、建物の凹部に庭を有するフラット屋根の上に取り付けられた屋根上採光装置の斜視図である。
【符号の説明】
１                採光装置
２          プリズムパネル
２１        ガラス板
２２        プリズムシート
２２２        山部
２２３        谷部
３                    縦枠
４                    横枠
５，５ａ，５ｂ      固定金具
１０ａ，１０ｂ      建物
１１        中庭
１２                折板屋根
１３                凹部
【図１】
2005026004.tif 000003
【図２】
2005026004.tif 000004
【図３】
2005026004.tif 000005
【図４】
2005026004.tif 000006